(57)【要約】【課題】  患者ケア装置に情報を伝送することを可能にして、患者に一定の生理学的支援を与えること。【解決手段】  患者ケア装置は、該患者ケア装置との間で情報を送受信できるようにする内部電子通信モジュールを有する。内部電子通信モジュールと通信することができるパーソナル・デジタル・アシスタント（ＰＤＡ）が用意され、それにより内部電子モジュールとＰＤＡとの間で情報を交換して、ユーザが内部通信モジュールからＰＤＡに情報をダウンロードすることができ、患者ケア装置で用いられることになる情報を内部電子通信モジュールに入力するのにＰＤＡを用いることができる。【選択図】          図２
2005058764.tif 000002
【特許請求の範囲】
【請求項１】
患者ケア装置であって、
患者に或る医療処置又は生理学的援助を行うために患者がおかれる支持部を有するベースと、
前記患者ケア装置内に収容され、前記患者ケア装置との間で情報を送受信するようになった電子通信モジュールと、
前記患者ケア装置内の前記電子通信モジュールと通信して、前記電子通信モジュールとの間で情報を送受信するためのパーソナル・デジタル・アシスタント（ＰＤＡ）装置と、
を備える装置。
【請求項２】
前記患者ケア装置が、乳児に加温された環境を与えるための乳児ケア装置であることを特徴とする請求項１に記載の患者ケア装置。
【請求項３】
前記患者ケア装置がオペレーショナル・ソフトウェアにより作動され、前記パーソナル・デジタル・アシスタント装置が前記患者ケア装置の電子通信モジュールにアップグレードされたソフトウェアを通信して、修正を与えることにより前記オペレーショナル・ソフトウェアをアップグレードすることを特徴とする請求項１に記載の患者ケア装置。
【請求項４】
前記患者ケア装置が、前記乳児ケア装置に関する作動及び性能情報を受信し、保存するようになったメモリ装置を有し、前記作動及び性能情報は、前記電子通信モジュールにより前記パーソナル・デジタル・アシスタント装置にダウンロードされるようになっていることを特徴とする請求項１に記載の患者ケア装置。
【請求項５】
前記患者ケア装置が、前記患者ケア装置の性能に関するトレンド情報を取得し、保存するために内部メモリ装置を有し、前記電子通信モジュールが、前記トレンド情報を前記パーソナル・デジタル・アシスタント装置に伝送するようになっていることを特徴とする請求項１に記載の患者ケア装置。
【請求項６】
前記パーソナル・デジタル・アシスタント装置が、該パーソナル・デジタル・アシスタント装置とパーソナル・コンピュータとの間で通信するための入力／出力ポートを有し、前記パーソナル・デジタル・アシスタント装置は、前記トレンド情報を、トレンドデータの便利な表示に変換するために前記パーソナル・コンピュータに伝送するようになっていることを特徴とする請求項１に記載の患者ケア装置。
【請求項７】
パーソナル・デジタル・アシスタント（ＰＤＡ）と乳児ケア装置との間に無線通信を提供する方法であって、
乳児の処置を行うのに用いられる乳児ケア装置であって、該乳児ケア装置内に収容されて、該乳児ケア装置との間で情報を送受信するようになった電子通信モジュールを有する乳児ケア装置を用意するステップと、
前記乳児ケア装置内の前記電子通信モジュールと通信して、前記電子通信モジュールとの間で情報を送受信するためのパーソナル・デジタル・アシスタントを用意するステップと、
前記パーソナル・デジタル・アシスタントを用いて、前記電子通信モジュールとの間で情報を通信し、情報を受信するステップと、
を含む方法。
【請求項８】
前記患者ケア装置を用意するステップが、オペレーショナル・ソフトウェアにより制御された患者ケア装置を用意することを含み、前記パーソナル・デジタル・アシスタントから前記電子通信装置に情報を通信するステップが、ソフトウェアのアップグレードを通信し、前記オペレーショナル・ソフトウェアを修正して、前記アップグレードされたソフトウェアを、前記乳児ケア装置の作動を制御するのに用いることを含む、請求項７に記載の方法。
【請求項９】
乳児ケア装置の通信システムであって、
前記乳児ケア装置に取り付けられ、受信器、送信器、及びマイクロプロセッサを有する電子モジュールと、
送信器と、受信器と、入力装置とを有するパーソナル・デジタル・アシスタント（ＰＤＡ）と、を備え
前記電子モジュールと前記ＰＤＡは、それらの間で赤外線信号を双方向で送受信するようになっていることを特徴とするシステム。
【請求項１０】
前記電子モジュールが、前記乳児ケア装置に保存された情報を受信し、その情報を前記ＰＤＡに送信するようになっていることを特徴とする請求項９に記載の通信システム。
【発明の詳細な説明】
【技術分野】
【０００１】
本発明は、乳児ケア装置、より詳細には、パーソナル・デジタル・アシスタント（ＰＤＡ）を用いて乳児用装置との間で情報を伝送することを可能にする無線通信システムを使用して、乳児に一定の生理学的支援を与える装置に関する。
【背景技術】
【０００２】
乳児を暖める、すなわち乳児を所定の温度に保つのに必要とされる熱を供給する、多くのデバイス又は装置がもちろん存在する。こうした装置の典型的なものが、Ｊｏｎｅｓの「ＬＩＦＴ  ＭＥＣＨＡＮＩＳＭ  ＦＯＲ  ＩＮＦＡＮＴ  ＣＡＲＥ  ＡＰＰＡＲＡＴＵＳ  ＣＡＮＯＰＹ」と題する米国特許第６，２３１，４９９号、及びＪｏｎｅｓ他の「ＨＥＡＴＥＲ  ＤＯＯＲ  ＭＥＣＨＡＮＩＳＭ  ＦＯＲ  ＩＮＦＡＮＴ  ＷＡＲＭＩＮＧ  ＡＰＰＡＲＡＴＵＳ」と題する米国特許第６，５８５，６３６号に図示され説明されている。
【発明の開示】
【発明が解決しようとする課題】
【０００３】
しかしながら、こうした装置における難点の１つは、装置の作動中に種々の理由により乳児ケア装置の内部電子回路と通信する必要性にある。乳児ケア装置の電子回路との間で通信されることになる情報の例としては、ソフトウェアの新たな修正が開発されたときに、乳児ケア装置の動作に用いられるソフトウェアのアップグレードを行う必要がある場合が多い。したがって現時点では、ソフトウェアのアップグレードは、既存のプログラマブル・リード・オンリー・メモリ（ＰＲＯＭ）を、アップグレードされたソフトウェアを有するＰＲＯＭに置き換えるために、乳児ケア装置の電子コントローラに入る技術者によって行われることが普通は必要とされる。
【０００４】
乳児ケア装置との間で直ちに通信されることが望ましい他のタイプの情報には、患者名、体重、その他の生命維持に必要な情報、患者の個人情報といった乳児ケア装置への患者情報入力項目があり、それらは、新たな情報が得られるか又は乳児の状態が変化したときに、絶えず修正されることが好ましい。
【０００５】
また、電圧を含む診断情報、特定の装置のサービス履歴、故障、校正日等のような作動に関する情報を乳児ケア装置から直ちにダウンロードできるようにし、それにより、診断するか又は作動を監視するために、技術者によって用いられることになる乳児ケア装置の作動に関する現在進行中の記録を維持できることが望ましいであろう。
【０００６】
さらに、熱又は湿度情報のような乳児ケア装置の性能に関するトレンド（最新の傾向）をダウンロードし、データのトレンドを維持し、そのデータをＥｘｃｅｌのような市販のプログラムの形態に入力して、付加的なハードウェアの必要なしに、その情報の認識できる便利な形式を作成できるようにすることが有用である場合が多い。
【０００７】
したがって、どんな場合においても、乳児ケア装置に情報の継続的な双方向の交換を与える能力は、こうした装置にとって価値ある機能であり、したがって、配線や入力ポートを用いることなく、又は電子技術者が電子回路内のコンポーネントを取り替えるために装置を使用休止状態にする必要なしに、通信を行えるようにすることが有利である。
【０００８】
認識されるように、患者の個人情報の継続的なアップデートは、比較的頻繁に行われる必要があろう。データ及び情報の入力は、装置自体に配置された或る手動手段によって行うのが便利であり、個人情報の頻繁なアップデート、ソフトウェアの修正のアップデート、又はトレンドデータ又は診断情報のような情報のダウンロードが、迅速に、比較的簡単に、電子回路に比較的熟練していない人によって行われることも重要である。
【０００９】
医療分野においては、患者の生理学的情報を中央ステーションに伝送するための、開示された無線システムが存在し、こうしたシステムの１つが、Ｄｅｍｐｓｅｙ他の米国特許第５，４１７，２２２号に示され説明されており、該特許では、遠隔測定システムが患者モニタとインターフェースして患者の生理学的情報を収集し、その情報及びデータを中央ステーションとの間で双方向に伝送するが、患者の監視データの伝送とそのシステムの使用は、患者を監視するべく患者の或る測定された生理学的情報の継続的な監視を維持するためのものである。また同様の無線又は遠隔測定モニタが、患者の心臓の状態等の継続的な監視を行うのに用いられており、そこでは、患者は心臓の状態に関する情報を維持するために継続的に監視され、その情報は或る無線手段により中央モニタに伝送され、そこで患者の状態が記録され、継続的に確認されることになる。
【００１０】
しかしながら、システムが、患者の生理学的状態を監視し、中央ロケーションに送信して患者の状態を追跡するのに用いられる双方向通信システムを有するのではなく、種々の目的により患者ケア装置との間でデータ及び情報を送受信するために、パーソナル・デジタル・アシスタント（ＰＤＡ）と患者ケア装置との間の双方向通信を与える無線通信システムを有することは有利となるであろう。
【課題を解決するための手段】
【００１１】
したがって、本発明は、人が乳児ケア装置の種々の電子回路及びメモリ装置に情報を入力できるようにし、またパーム・パイロット又はそれに類似の形式の装置として市販されているパーソナル・デジタル・アシスタント（ＰＤＡ）のような赤外線無線通信装置を用いることによって、便利に、簡単に、かつ電子技術者を必要とせずに、乳児ケア装置内の電子回路から情報をダウンロードできるようにする、内蔵型の双方向通信システムを有する乳児ケア装置に関する。
【００１２】
本発明に用いられるＰＤＡは、キーボードの形態の入力装置と、乳児ケア装置から受信したデータ及び情報をユーザが見られるようにするディスプレイと、その情報及びデータを送受信するための送信器／受信器とを有する通常の形式のものとすることができる。乳児ケア装置はまた、赤外線のような通常のプロトコルによりＰＤＡと通信して、そうした情報を双方向に、すなわち乳児ケア装置とＰＤＡとの間で伝送できるようにする送信器／受信器を有する電子モジュールを備える。
【００１３】
乳児ケア装置は、ＣＰＵを含む普通の市販の電子制御回路と、好ましくはＰＲＯＭＳである読み取り専用メモリ装置の形態の種々の電子メモリ及び保存装置とを有し、それらは、乳児ケア装置の電子回路を、電子モジュールがＰＤＡとの間で情報を送受信し、保存するのに使用できるようにし、乳児ケア装置が、意図された目的のために情報を使用し、情報を保存し、情報を表示すること、又は情報を乳児ケア装置の作動に用いることを可能にする。
【００１４】
乳児ケア装置はまた、その作動を実行するのに用いられる市販のオペレーショナル・ソフトウェアを有し、該オペレーショナル・ソフトウェアはまた、本発明の通信システムによって、乳児ケア装置とＰＤＡとの間でアクセスされ、それによりＰＤＡは、アップグレードされたソフトウェア及びソフトウェアの修正を、オペレーショナル・ソフトウェアに送信することができ、アップグレードされたソフトウェア及びソフトウェアの修正は、乳児ケア装置において、該乳児ケア装置に用いられている既存のソフトウェアのアップグレードを行うのに用いられる。
【００１５】
乳児ケア装置の標準コンポーネントとして、一定のデータメモリ及び保存装置の他にデータ検出機能部があり、電圧、装置のサービス履歴のような乳児ケア装置の作動に関する作動データを抽出して保存するとともに、電子モジュールを用いることにより乳児ケア装置回路からＰＤＡの記憶装置にダウンロードすることができるサービス診断情報を与え、必要なときにＰＤＡにダウンロードすることができる熱又は湿度のトレンドのようなトレンド情報を維持する。
【００１６】
したがって、ＰＤＡにダウンロードされるどんな情報も、ＰＤＡディスプレイ上で視認することができ、又はＰＤＡ上のデータ出口を用いることによりコンピュータにさらに転送して、その情報を処理し、データをユーザの随意で特定の所望の形態にするのに利用可能とすることができる。
【００１７】
本発明のこれらの及び他の特徴及び利点は、以下の詳細な説明を図面と併せて見たときに、直ちに明らかとなるであろう。
【発明を実施するための最良の形態】
【００１８】
ここで図１を参照すると、本発明を図示し、本発明に従って構成された乳児ケア装置１０を示す斜視図が示されている。本発明は、特に乳児ケア装置に関連して示され説明されるが、本発明は、やはり本発明の目的を実行できる、他の形式の乳児ケア装置を含む他の形式の患者ケア装置に適用可能であることが分かるであろう。
【００１９】
したがって、図１においては、乳児ケア装置１０は、上方位置にある状態で示されているキャノピ１２を含む。乳児ケア装置１０は、保育器又は乳児加温器のような乳児ケア装置の単なる一例であり、ここでは、キャノピ１２が下方位置にあるときの保育器と、キャノピ１２が図１に示されるように上方位置にあるときの乳児加温器との両方として機能できる装置として説明されることになる。
【００２０】
装置自体は、Ｊｏｎｅｓの「ＬＩＦＴ  ＭＥＣＨＡＮＩＳＭ  ＦＯＲ  ＩＮＦＡＮＴ  ＣＡＲＥ  ＡＰＰＡＲＡＴＵＳ  ＣＡＮＯＰＹ」と題する米国特許第６，２３１，４９９号、及びＪｏｎｅｓ他の「ＨＥＡＴＥＲ  ＤＯＯＲ  ＭＥＣＨＡＮＩＳＭ  ＦＯＲ  ＩＮＦＡＮＴ  ＷＡＲＭＩＮＧ  ＡＰＰＡＲＡＴＵＳ」と題する米国特許第６，５８５，６３６号に図示され説明された形式のものとすることができ、これらの米国特許の開示内容は、その全体を引用によりここに組み入れる。
【００２１】
図示のように、乳児ケア装置１０は、乳児の下にあって乳児を支持する乳児台１４を含む。同じく分かるように、乳児を乳児ケア装置１０内に安全に収めるために、複数の壁１６が設けられており、これらは乳児台１４の四辺の全てに配置されている。壁１６は、透明なプラスチック材料からなり、乳児ケア装置１０が保育器として機能するときには、乳児ケア装置１０に保育器機能を与えるように他のコンポーネントと協働することが好ましい。
【００２２】
乳児台１４は可動垂直ベース部材１８に備え付けられ、可動垂直ベース１８は、好ましい実施形態においては、不動垂直ベース部材２０に移動可能に取り付けられ、不動垂直ベース部材２０は、乳児ケア装置１０を直ちに動かせるようにする車輪２４を有するベース２２に備え付けられる。
【００２３】
可動垂直ベース部材１８は、ユーザが必要に応じて可動垂直部材１８を上げ下げすることにより乳児台１４の高さを調節できるように備え付けられることが好ましく、それにより乳児台１４は、ユーザが好ましい高さに調節することができる。さらに標準的な特徴として、保育器構成のときには乳児２６へのアクセスを可能にするハンドホール（図示せず）を壁に設けてもよく、壁は通常は扉２８を有し、扉２８は、乳児２６にアクセスするために開けることができ、もちろん特定の介入が終わったときには乳児を取り囲む所望の環境を保つために閉じることができる。
【００２４】
別の便利な特徴には、乳児に対して或る作業を行うのに必要な供給品又は他の装置を収める引き出し３０があり、引き出し３０は、普通は乳児台１４の下に位置する。他の特徴には、壁の下部が乳児台１４にピボット運動可能に取り付けられ、それにより扉を外方にかつ下方に倒すことができ、さらに別の態様としては乳児台１４から簡単に完全に取り去ることができる、壁１６の操作性がある。したがって、それ故に、乳児加温装置１０のキャノピ１２が図１に示されるように上方位置にあるときには、壁１６は、看護人が乳児台１４に載せられている乳児に制限なしにアクセスして、その乳児に対して介入を行えるように、下方に倒すか又は全て取り去ることができる。
【００２５】
乳児加温装置１０の別の構造コンポーネントには、ベース部材１８に取り付けられた不動フレーム部材３２があり、図示のように、好ましい実施形態においては２つの不動垂直フレーム部材が存在するが、それは１つだけであってもよいし、さらに多くの数のこうした部材が存在してもよい。２つの可動垂直フレーム部材３４は、不動フレーム部材３２の中に移動可能に嵌め込まれ、ユーザが、乳児ケア装置１０を保育器としての機能と乳児加温器としての機能との間で変換するために、上下に動かすことができる。
【００２６】
制御モジュール３６は、通常は、不動フレーム部材３２の中間に位置し、種々の監視されたパラメータのディスプレイを含み、並びに乳児加温装置１０の機能の作動のための種々の制御を含むことができる。
【００２７】
一般に分かるように、乳児加温装置１０の作動においては、キャノピ１２は、好ましい実施形態においては、放射放熱器（図示せず）を収容している。キャノピ１２は、乳児ケア装置が乳児加温器として働く図１に示される上方位置と、乳児ケア装置が、乳児２６に暖かい空気が供給され、保育器の通常の機能において湿度が制御される乳児保育器として働く下方位置との間で動かすことができる。
【００２８】
同じく図１において見られるように、本発明に関連して用いられるパーソナル・デジタル・アシスタント（ＰＤＡ）３８がある。ＰＤＡ３８は、パーム・パイロットのような通常の市販の形式のものとすることができ、それは、ディスプレイ４０と、キーボード４２のような入力装置を含み、また、内部中央演算処理装置（ＣＰＵ）と、後で説明するようにデータの送受信を行うためのトランスデューサとを有する。ＰＤＡ３８は、通常は、赤外線（ＩｒＤＡ）通信プロトコルを用いて、電子信号を双方向に通信し、受信する。ＰＤＡ３８がラップトップ又はポータブルコンピュータのようなコンピュータにデータ及び情報をアップロードし、また情報及びデータをコンピュータからＰＤＡ３８にダウンロードすることを可能にする、入力／出力又はＩ／Ｏポート４４が存在することも好ましい。
【００２９】
上述のように、ＰＤＡ３８によって用いられる通信形態は、赤外線プロトコルであることが好ましいが、ＲＦ要素または他の手段を含む放射伝送に適した他の形態を用いることもできる。
【００３０】
乳児ケア装置１０の、電子モジュール４６とＰＤＡ３８との間で通信が直ちに送受信されるような位置に配置された、対応する電子モジュール４６が存在する。したがって、電子モジュール４６は、内部ソフトウェア、読み取り専用メモリのような乳児ケア装置１０の種々の内部コンポーネントとの間で、及び乳児ケア装置１０の演算を行う演算プロセッサに、データ及び情報を内部伝送することができる。
【００３１】
次に図２を参照すると、本発明を実施するのに用いられるコンポーネントの概略的なブロック図が示されている。具体的には、ＰＤＡ３８は、キーボードのような入力装置４２、ディスプレイ４０、及び内臓のマイクロプロセッサ４８を有していることと思われる。ＰＤＡ３８はまた、ＰＤＡ３８との双方向通信を可能にするために、送信器５０、受信器５２及びアンテナ５４を含む。
【００３２】
また、電子モジュール４６には、双方向通信を行うための種々のコンポーネントが存在し、そうした通信を達成するために送信器５８及び受信器６０との間で信号を搬送するアンテナ５６を含む。
【００３３】
さらに、図に示すように、電子モジュール４６には中央演算処理装置６２も存在し、該装置６２は、ディスプレイ６４、内部メモリ６６、乳児ケア装置１０のオペレーショナル・ソフトウェア６８、及び入力装置７０と通信する。ディスプレイ６４、内部メモリ６６、オペレーショナル・ソフトウェア６８、及び入力装置７０は、普通は、乳児ケア装置１０の一部であり、それにより、制御モジュール３６内を含む１つ又はそれ以上の位置に配置される。
【００３４】
本発明の作動及び機能が説明される。本発明の機能として、乳児ケア装置１０の制御及び作動に用いられるオペレーショナル・ソフトウェアは、普通は、時々アップグレードされる必要があり、現在のアップグレード手順は、プログラマブル・リード・オンリー・メモリ装置（ＰＲＯＭＳ）の除去と、アップグレードされたソフトウェアを有する新しいＰＲＯＭＳのインストールを必要とし、この手順は有資格技術者のサービスを必要とし、なおかつ乳児ケア装置の休止時間を必要とするので、その交換が行われている間は、その装置が使えなくなる。
【００３５】
しかしながら、本発明においては、アップグレードされたソフトウェアをコンピュータからＩ／Ｏポート４４を介してＰＤＡ３８に簡単にダウンロードし、ＰＤＡ３８を乳児ケア装置１０に配置された電子モジュール４６と無線通信させることができる。したがって、そのアップグレードされたソフトウェアは、ＰＤＡ３８の送信器手段５０を用いて電子モジュール４６の受信器６０に伝送することができ、ＣＰＵ６２は、そのアップグレードされたソフトウェアを、電子モジュール４６への侵入又はＰＲＯＭの物理的交換なしに、乳児ケア装置１０のオペレーショナル・ソフトウェア６８に入力することができ、その結果、装置の休止時間が短くなるか又は無くなり、この手順は、基本的なコンピュータ操作技能を持つ人が簡単に行うことができる。
【００３６】
本発明の別の機能として、電子モジュール４６は、内部メモリ６６の使用により、乳児ケア装置１０の作動データの継続的なログを維持し、すなわち、記録された電圧、特定の装置のサービス履歴、故障に関するデータ、校正日等のような電気的及び機能的状態のデータログを継続的に保持することができ、それらは乳児ケア装置１０の作動履歴に関連し、その情報は、ＰＤＡ３８から問い合わせる、ＣＰＵ６２によりソートする、及び電子モジュール４６の送信器５８によりＰＤＡ３８の受信器５２に送信することができ、そのサービス及び履歴情報及びデータは、再びパーソナル・コンピュータにアップロードすることができ、そのデータは、Ｅｘｃｅｌのような市販のソフトウェアで使用して、情報及びデータテーブルを作成するか、又は特定の乳児ケア装置１０の性能を表わす曲線を直ちに理解できる形で公式化することができる。
【００３７】
本発明のさらに別の機能として、介護人が、乳児ケア装置１０に又はその上に配置された入力装置７０により、名前、体重、その他の個人情報といった患者情報を時々入力して、患者の状態を修正するか、又は他のこうした情報を入力することができ、そしてさらに、その患者に関する個人情報及びデータを、電子モジュール４６からＰＤＡ３８に送信することができ、それにより、そうした情報をパーソナル・コンピュータによりその施設で処置を受ける患者の中央記録保持ファイルに入力することができる。
【００３８】
本発明のさらに別の機能として、熱又は湿度情報を含むトレンド情報のような作動データを電子モジュール４６の内部メモリ６６に継続的に維持して、データの傾向を残すことができ、傾向データがまた、Ｅｘｃｅｌ又は他の市販のソフトウェアプログラムによって認識される形式にまとめることができるときには、その情報をＰＤＡ３８に伝送し、パーソナル・コンピュータにアップロードすることができる。
【００３９】
したがって、図示されるように、本発明においては、ＰＤＡ３８と乳児ケア装置１０との間に、それらの間のデータ及び情報の簡単な無線伝送を可能にする双方向通信が存在し、それにより、装置を休止させずに多くの有利な機能及び作動を実行することができる。
【００４０】
当業者であれば、本発明の患者ケア装置の双方向無線データ及び情報通信システムになし得る多くの適応及び修正と、その結果として改良されたシステムが得られることと、またその全てが特許請求の範囲において定められた本発明の範囲及び精神内に入ることを直ちに認識するであろう。したがって、本発明は、特許請求の範囲の請求項及びそれらの均等物によってのみ限定されるものである。
【図面の簡単な説明】
【００４１】
【図１】本発明の双方向赤外線通信システムの全体的な斜視図であり、乳児ケア装置と、手持ち式パーソナル・デジタル・アシスタント（ＰＤＡ）が示されている。
【図２】本発明を実施するのに用いられる種々のコンポーネントの概略的なブロック図である。
【符号の説明】
【００４２】
３８：ＰＤＡ（パーソナル・デジタル・アシスタント）
４０：ディスプレイ
４２：入力
４４：Ｉ／Ｏポート
４６：電子モジュール
４８：マイクロプロセッサ
５０：送信器
５２：受信器
５４，５６：アンテナ
５８：送信器
６０：受信器
６２：ＣＰＵ
６４：ディスプレイ
６６：メモリ
６８：ソフトウェア
７０：入力
【図１】
2005058764.tif 000003
【図２】
2005058764.tif 000004